(57)【要約】【課題】本発明は、バーコード等の識別図柄を構成する部分に酸素濃度によって反射率が変化する素材を用いることにより、識別図柄に接する気体の酸素ガス濃度によって画像の識別結果が異なるような包装材を提供することを目的とする。【解決手段】バーコードリーダー等の画像認識装置によって識別するためのバーコードシンボルのバーに相当する反射率の低い図柄部分（３）とスペースに相当する反射率の高い図柄部分（２）とを組み合わせた識別用図柄（Ａ）が配置されたフィルムや紙等の基材（１）からなる包装材において、前記識別用図柄（Ａ）が該基材（１）に接する気体の酸素ガス濃度によって変化することを特徴とする包装材である。【選択図】図１
2007161300.tif 000002
【特許請求の範囲】
【請求項１】
バーコードリーダー等の画像認識装置によって識別するためのバーコードシンボルのバーに相当する反射率の低い図柄部分とスペースに相当する反射率の高い図柄部分とを組み合わせた識別用図柄が配置されたフィルムや紙等の基材からなる包装材において、前記識別用図柄が該基材に接する気体の酸素ガス濃度によって変化することを特徴とする包装材。
【請求項２】
前記識別用図柄のバーコードシンボルのバーに相当する反射率の低い図柄部分とスペースに相当する反射率の高い図柄部分との相対反射率が脱酸素雰囲気下において０．７５未満を示し、大気下において０．７５以上となることを特徴とする請求項１記載の包装材。
【請求項３】
前記識別用図柄のバーコードシンボルのバーに相当する反射率の低い図柄部分とスペースに相当する反射率の高い図柄部分との相対反射率が脱酸素雰囲気下において０．７５以上を示し、大気下において０．７５未満となることを特徴とする請求項１記載の包装材。
【請求項４】
前記識別用図柄のバーコードシンボルのバーに相当する反射率の低い図柄部分とスペースに相当する反射率の高い図柄部分との相対反射率が脱酸素雰囲気下において０．７５未満を示し、大気下において０．７５以上を示す識別用図柄と、脱酸素雰囲気下において０．７５以上を示し、大気下において０．７５未満となる識別用図柄の２つの識別用図柄が配置されていることを特徴とする請求項１記載の包装材。
【請求項５】
前記識別用図柄が、ガスバリア性材料からなる包装容器に使用される際は、前記ガスバリア性材料よりも内側となる側に配置されることを特徴とする請求項１乃至４のいずれか１項記載の包装材。
【発明の詳細な説明】
【技術分野】
【０００１】
本発明は、バーコードリーダー等の画像認識装置によって識別するための識別用図柄を有する包装材に関するものである。
【背景技術】
【０００２】
従来から使用されているバーコードの一般的な利用方法は、それぞれの商品に固有のコードを割り当て専用のバーコードリーダーを用いてコードを読み取ることにより物流管理等に使用されている。この場合にバーコードシンボルに求められる条件はどのような状態でも同一の読み取り結果を示すことが上げられる。
【０００３】
最近では携帯電話や移動端末にＣＣＤカメラを搭載し画像認識機能を有して、従来のバーコードリーダーと同様の機能を備えたものが上市されてきている。これらの携帯電話や移動端末の画像認識機能を利用した新しいサービスが生まれてきている。一例として２次元バーコード等にＷＥＢやメールアドレスなどの情報を記録するなど、バーコードを情報伝達のメディアとして利用するような使用方法が考え出されている。
【０００４】
従来から使用されているバーコードの場合、固有のコードとして割り当てられた識別用図柄は常に同じ読み取り結果を示すことが望まれた。しかし現在のようにバーコードの新しい利用方法が考え出される中でバーコードの識別用図柄が常に同じ読み取り値を示すのではなく、例えば外部の環境の変化に対応してバーコード等の識別用図柄が変化すれば産業上の利用範囲が広くなる。このような観点から温度、湿度、酸素濃度等の外的環境の変化で色が変わる材料を用いたバーコードの提案がある。（例えば、特許文献１参照。）。しかしながらこの場合は、バーコードの色を単に目視で判断するもので余り合理的でない。
【０００５】
以下に先行技術文献を示す。
【特許文献１】特開平５−６７２５３号公報
【発明の開示】
【発明が解決しようとする課題】
【０００６】
本発明は、このような従来技術の問題点を解決しようとするものであり、バーコード等の識別用図柄を構成する部分に酸素濃度によって反射率が変化する素材を用いることにより、識別用図柄に接する気体の酸素ガス濃度によって画像の識別結果が異なるような包装材を提供することを目的とする。
【課題を解決するための手段】
【０００７】
本発明は、上記の課題を解決するために成されたものであり、本発明の請求項１に係る発明は、バーコードリーダー等の画像認識装置によって識別するためのバーコードシンボルのバーに相当する反射率の低い図柄部分（３）とスペースに相当する反射率の高い図柄部分（２）とを組み合わせた識別用図柄（Ａ）が配置されたフィルムや紙等の基材（１）からなる包装材において、前記識別用図柄（Ａ）が該基材（１）に接する気体の酸素ガス濃度によって変化することを特徴とする包装材である。
【０００８】
本発明の請求項２に係る発明は、請求項１記載の包装材において、前記識別用図柄（Ａ）のバーコードシンボルのバーに相当する反射率の低い図柄部分（３）とスペースに相当する反射率の高い図柄部分（２）との相対反射率が脱酸素雰囲気下において０．７５未満を示し、大気下において０．７５以上となることを特徴とする包装材。
【０００９】
本発明の請求項３に係る発明は、請求項１記載の包装材において、前記識別用図柄（Ａ）のバーコードシンボルのバーに相当する反射率の低い図柄部分（３）とスペースに相当する反射率の高い図柄部分（２）との相対反射率が脱酸素雰囲気下において０．７５以上を示し、大気下において０．７５未満となることを特徴とする包装材である。
【００１０】
本発明の請求項４に係る発明は、請求項１記載の包装材において、前記識別用図柄（Ａ）のバーコードシンボルのバーに相当する反射率の低い図柄部分（３）とスペースに相当する反射率の高い図柄部分（２）との相対反射率が脱酸素雰囲気下において０．７５未満を示し、大気下において０．７５以上を示す識別用図柄（Ａ）と、脱酸素雰囲気下において０．７５以上を示し、大気下において０．７５未満となる識別用図柄（Ａ）の２つの識別用図柄（Ａ）が配置されていることを特徴とする包装材である。
【００１１】
本発明の請求項５に係る発明は、請求項１乃至４のいずれか１項記載の包装材において、前記識別用図柄（Ａ）が、ガスバリア性材料からなる包装容器（５）に使用される際は、前記ガスバリア性材料よりも内側となる側に配置されることを特徴とする包装材である。
【発明の効果】
【００１２】
本発明に係る包装材は、バーコードリーダー等の画像認識装置によって識別するためのバーコードシンボルのバーに相当する反射率の低い図柄部分とスペースに相当する反射率の高い図柄部分とを組み合わせた識別用図柄が配置されたフィルムや紙等の基材からなる包装材において、前記識別用図柄が該基材に接する気体の酸素ガス濃度によって変化することにより、外部からの環境の変化をバーコード等の識別用図柄の読み取り結果に反映することが出来るようになる。
【発明を実施するための最良の形態】
【００１３】
本発明の実施の形態を図１〜図３に基づいて詳細に説明する。
【００１４】
図１は、本発明に係る包装材の１実施例を示す平面図であり、図２は、本発明に係る包装材のその他の実施例を示す平面図であり、図３は本発明に係る包装材を貼付した包装容器の１実施例を示す斜視図である。
【００１５】
本発明に係る包装材は、バーコードリーダー等の画像認識装置によって識別するためのバーコードシンボルのバーに相当する反射率の低い図柄部分（３）とスペースに相当する反射率の高い図柄部分（２）とを組み合わせた識別用図柄（Ａ）が配置されたフィルムや紙等の基材（１）からなる包装材において、前記識別用図柄（Ａ）が該基材（１）に接する気体の酸素ガス濃度によって変化することを特徴とする包装材である。
【００１６】
本発明に係る包装材の１実施例は、図１に示すように、前記識別用図柄（Ａ）のバーコードシンボルのバーに相当する反射率の低い図柄部分（３）とスペースに相当する反射率の高い図柄部分（２）との相対反射率が脱酸素雰囲気下において０．７５未満を示し、大気下において０．７５以上となるように構成されている。例えば、バーコードシンボルのバーに相当する反射率の低い図柄部分（３）に酸素濃度により反射率が変化するインキを使用する。脱酸素雰囲気下でスペースとバーの相対反射率は０．７５未満となり、バーコードリーダー等画像認識装置での該識別用図柄（Ａ）の認識が困難となる。大気下において相対反射率は０．７５以上となり該識別用図柄（Ａ）の認識が容易となる。
【００１７】
一般的に、バーコードリーダー等の画像認識装置は、バーコードのバーに相当する反射率の低い図柄部分（３）と、バーコードのスペースに相当する反射率の高い図柄部分（２
）との反射率の差を利用して画像の識別を行っている。一般的なバーコードの相対反射率は以下の式によって計算される。相対反射率＝［（白スペースの反射率）−（黒バーの反射率）］／（白スペースの反射率）
また、本発明に係る包装材のその他の実施例は、前記識別用図柄（Ａ）のバーコードシンボルのバーに相当する反射率の低い図柄部分（３）とスペースに相当する反射率の高い図柄部分（２）との相対反射率が脱酸素雰囲気下において０．７５以上を示し、大気下において０．７５未満となるように構成されている。
【００１８】
例えば、図２に示すように、基材（１）上にバーコードのスペースに相当する反射率の高い図柄部分（２）と、バーコードのバーに相当する反射率の低い図柄部分（３）と、該反射率の低い図柄部分（３）を覆うように配置された図柄部分（４）から構成されている。該反射率の低い図柄部分（３）を覆うように配置された図柄部分（４）に酸素濃度により反射率が変化するインキを使用する。脱酸素雰囲気下でスペースとバーの相対反射率は０．７５以上となりバーコードリーダー等画像認識装置での該識別用図柄（Ａ）の認識が容易となり、大気下において相対反射率は０．７５未満となり識別用図柄（Ａ）の認識が困難となる。
【００１９】
さらに、前記識別用図柄（Ａ）のバーコードシンボルのバーに相当する反射率の低い図柄部分（３）とスペースに相当する反射率の高い図柄部分（２）との相対反射率が脱酸素雰囲気下において０．７５未満を示し、大気下において０．７５以上を示す識別用図柄（Ａ）と、脱酸素雰囲気下において０．７５以上を示し、大気下において０．７５未満となる識別用図柄（Ａ）の２つの識別用図柄（Ａ）を包装容器（５）に設けて利用することもできる。
【００２０】
図３に示すように、前記実施例１の識別用図柄（Ａ）を有する包装材（６）と前記その他の実施例の識別用図柄（Ａ）を有する包装材（７）の２つの包装材（６、７）を包装容器（５）に貼り付けて使用することができる。
【００２１】
また、該実施例１の識別用図柄（Ａ）と該その他の実施例の識別用図柄（Ａ）を１枚の基材（１）に印刷して作製した包装材を包装容器（５）に貼り付けて使用しても構わない。
【００２２】
さらには、該実施例１の識別用図柄（Ａ）と該その他の実施例の識別用図柄（Ａ）を前記包装容器（５）に直接に印刷しても構わない。
【００２３】
特に、ガスバリア性材料からなる密閉された包装容器（５）に使用する際は、前記ガスバリア性材料よりも内側となる側に配置することが必要である。例えば、前記ガスバリア性材料からなる密閉された容器（５）内部を脱酸素材等により脱酸素状態にした場合、バーコードリーダー等の画像認識装置では、先ず、前記包装材（７）の識別用図柄（Ａ）が認識され、前記包装材（６）の識別用図柄（Ａ）は認識されない。前記容器（５）に傷が入ったり、開封されて脱酸素状態で無くなった場合、該包装材（６）の識別用図柄（Ａ）が認識され、該包装材（７）の識別用図柄（Ａ）は認識されなくなる。このように該容器（５）内部の酸素濃度が変化するとバーコードリーダー等によって読み取ることが出来る識別用図柄（Ａ）が変化するために、この包装容器（５）を食品や医薬品用に使用することにより商品の状態をバーコードで管理することが可能となる。
【００２４】
前記包装材に用いる基材（１）としては、ラベル適性、包装適性などがあれば、特に制約されないが、一般的には、力学的強さ（引張り強度、破裂強度、面折強度、衝撃強度、耐磨耗性など）、バリア性（防湿性、防水性、防気性、保香性、遮光性など）、安定性（耐水性、耐光性、耐薬品性、耐有機溶剤性、耐油脂性、耐寒性、耐候性など）、作業性（
包装作業性、機械適応性など）、利便性（開封性、易廃棄性など）、商品性（透明性、平滑性、印刷適性など）、経済性（価格、生産性、輸送保管性など）などにおいて優れた性質を有するプラスチックフィルムを用いることができ、例えば、ポリエチレンテレフタレート（ＰＥＴ）、ポリエチレンナフタレ−ト（ＰＥＮ）、ポリブチレンテレフタレート（ＰＢＴ）などのポリエステル、ポリプロピレン（ＰＰ）、ポリスチレン（ＰＳ）などのポリオレフィン、ナイロン−６、ナイロン−６６などのポリアミド（ＰＡ）、ポリカーボネート（ＰＣ）、ポリアクリロニトリル（ＰＡＮ）、ポリイミド（ＰＩ）などの無延伸あるいは延伸フィルムである。また、ガスバリア性などを付与するためにそれらのフィルムを積層した積層フィルムやアルミニウム箔、アルミニウム蒸着フィルム、無機酸化物蒸着フィルムを積層した積層フィルムでも構わない。また、用途によっては、紙を使用する場合もあり、例えば、上質紙、クラフト紙、純白ロール紙などを使用することができる。さらに、合成紙、不織布なども用いることができる。
【００２５】
前記酸素ガス濃度の変化で変色する素材、すなわち酸素濃度により反射率が異なるインキの構成成分として、酸化還元指示薬・還元剤・バインダ樹脂が主として組み合わせを変えたものを使用する。酸化還元指示薬としては、メチレンブルー、ニューメチレンブルー、ニュートラルレッド、インジゴカルミン、アシッドレッド、サフラニンＴ、フェノサフラニン、カプリブルー、ナイルブルー、ジフェニルアミン、キシレンシアノール、ニトロジフェニルアミン、フェロイン、Ｎ−フェニルアントラニル酸等が使用できる。また、還元剤としては、アスコルビン酸、アスコルビン酸塩、エリソルビン酸、エリソルビン酸塩や、Ｄ−アラビノース、Ｄ−エリスロース、Ｄ−ガラクトース、Ｄ−キシロース、Ｄ−グルコース、Ｄ−マンノース、Ｄ−フラクトース、Ｄ−ラクトース等の還元糖、第一錫塩、第一鉄塩等の金属塩等が使用可能である。
【００２６】
酸素濃度により相対反射率が異なるインキ組成の一例を以下に示すがこれに限られるものではない：メチレンブルー３重量部、Ｌ−アスコルビン酸７．５重量部、バインダ樹脂１０重量部、グリセリン７．５重量部、合成シリカ０．６重量部。
【００２７】
上記インキを白地の基材（１）に印刷した場合、酸素濃度により反射率が変化して脱酸素雰囲気下で相対反射率が０．７５未満となり、大気下において０．７５以上となる。
【実施例】
【００２８】
以下に、本発明の具体的実施例を挙げて、さらに詳しく説明する。
【００２９】
＜実施例１＞
基材（１）として厚さ２５μｍのポリエチレンテレフタレートフィルム（ＰＥＴ）を使用し、該フィルム上にバーコードのスペースに相当する反射率の高い図柄部分（２）は白色インキを用いてグラビア印刷し、バーコードのバーに相当する反射率の低い図柄部分（３）は酸素濃度により反射率が変化するメチレンブルー３重量部、Ｌ−アスコルビン酸７．５重量部、バインダ樹脂１０重量部、グリセリン７．５重量部、合成シリカ０．６重量部からなる組成のインキを使用しグラビア印刷してなる識別用図柄（Ａ）を有する包装材（６）を得た。該包装材（６）を脱酸素雰囲気下と大気下の条件でバーコードリーダー画像認識装置を用いて読み取ったところ、脱酸素雰囲気下では、スペースとバーの相対反射率は０．７５未満となり、識別用図柄（Ａ）の認識が困難であったが、大気下においては、相対反射率は０．７５以上となり識別用図柄（Ａ）の認識が容易であった。
【００３０】
＜実施例２＞
基材（１）として厚さ２５μｍのポリエチレンテレフタレートフィルム（ＰＥＴ）を使用し、該フィルム上にバーコードのスペースに相当する反射率の高い図柄部分（２）は白色インキを用いてグラビア印刷し、バーコードのバーに相当する反射率の低い図柄部分（
３）は黒色インキを用いてグラビア印刷し、該反射率の低い図柄部分（３）を覆うように配置した図柄部分（４）は酸素濃度により反射率が変化するメチレンブルー３重量部、Ｌ−アスコルビン酸７．５重量部、バインダ樹脂１０重量部、グリセリン７．５重量部、合成シリカ０．６重量部からなる組成のインキを使用しグラビア印刷して包装材（７）を得た。該包装材（７）を脱酸素雰囲気下と大気下の条件でバーコードリーダー画像認識装置を用いて読み取ったところ、脱酸素雰囲気下では、スペースとバーの相対反射率は０．７５以上となり、識別用図柄（Ａ）の認識が容易であったが、大気下においては、相対反射率は０．７５未満となり識別用図柄（Ａ）の認識が困難であった。
【００３１】
＜実施例３＞
ガスバリア性材料として、ポリエチレンテレフタレートフィルム（ＰＥＴ）１２μｍ／エバールフィルム（ＥＶＯＨ）１５μｍ／低密度ポリエチレンフィルム（ＬＤＰＥ）６０μｍの積層フィルムを使用し、密閉された包装容器（５）を作製し、該容器（５）の内面に前記実施例１で得られた包装材（６）と実施例２で得られた包装材（７）を貼りつけて２つの識別用図柄（Ａ）を有する包装容器（５）を得た。
【００３２】
前記２つの識別用図柄（Ａ）を有する包装容器（５）の内部を脱酸素剤により脱酸素状態にした脱酸素雰囲気下の条件と開封して脱酸素状態を無くした大気下の条件でバーコードリーダー画像認識装置を用いて読み取ったところ、先ず、脱酸素雰囲気下では、前記包装材（７）の識別用図柄（Ａ）が認識され、前記包装材（６）の識別用図柄（Ａ）は認識されなかった。次に、大気下においては、該包装材（６）の識別用図柄（Ａ）が認識され、該包装材（７）の識別用図柄（Ａ）は認識されなかった。
【００３３】
以下に、本発明の比較例について説明する。
【００３４】
＜比較例１＞
基材（１）として厚さ２５μｍのポリエチレンテレフタレートフィルム（ＰＥＴ）を使用し、該フィルム上にバーコードのスペースに相当する反射率の高い図柄部分（２）は白色インキを用いてグラビア印刷し、バーコードのバーに相当する反射率の低い図柄部分（３）は黒色インキを使用しグラビア印刷してなる識別用図柄（Ａ）を有する包装材を得た。
【００３５】
次に、ガスバリア性材料として、ポリエチレンテレフタレートフィルム（ＰＥＴ）１２μｍ／エバールフィルム（ＥＶＯＨ）１５μｍ／低密度ポリエチレンフィルム（ＬＤＰＥ）６０μｍの積層フィルムを使用し、密閉された包装容器（５）を作製し、該容器（５）の内面に前記包装材を貼りつけて前記識別用図柄（Ａ）を有する包装容器（５）を得た。
【００３６】
この包装容器（５）の内部を脱酸素剤により脱酸素状態にした脱酸素雰囲気下の条件と開封して脱酸素状態を無くした大気下の条件でバーコードリーダー画像認識装置を用いて読み取ったところ、脱酸素雰囲気下及び大気下の条件のいずれも、スペースとバーの相対反射率は０．７５以上となり、バーコードリーダー画像認識装置で読み取る値は常に一定値を示した。
【図面の簡単な説明】
【００３７】
【図１】本発明に係る包装材の１実施例を示す平面図である。
【図２】本発明に係る包装材のその他の実施例を示す平面図である。
【図３】本発明に係る包装材を貼付した包装容器の１実施例を示す斜視図である。
【符号の説明】
【００３８】
Ａ・・・識別用図柄
１・・・基材
２・・・反射率の高い図柄部分
３・・・反射率の低い図柄部分
４・・・反射率の低い図柄部分を覆うように配置された図柄部分
５・・・包装容器
６・・・包装材
７・・・包装材
【図３】
2007161300.tif 000003
【図１】
2007161300.tif 000004
【図２】
2007161300.tif 000005